(57)【特許請求の範囲】
【請求項１】
一対の側板と前記一対の側板間に取り付けられる棚板とを有した陳列棚に載置可能な底部と、前記陳列棚の被取付部に取り付けるための取付部と、側面に設けられた透過型のスクリーンと、を有するハウジングと、
前記ハウジングの内部に設けられ、前記スクリーンに投影画像を投影する向きにプロジェクタを設置するプロジェクタ設置部と、
を備え、
前記被取付部は、前記側板に設けられて前記棚板と嵌合可能であり、
前記取付部は、前記被取付部に嵌合可能である画像表示筐体。
【請求項２】
前記ハウジングの内部に配置され、前記プロジェクタ設置部に設置されたプロジェクタが投射する投影画像を反射し、前記スクリーンに投影する光学ユニットを有し、
前記プロジェクタ設置部は、前記光学ユニットを介して前記スクリーンに投影画像を投影する向きに、前記プロジェクタを設置する請求項１に記載の画像表示筐体。
【請求項３】
前記ハウジングの内部に配置され、前記プロジェクタ設置部に設置されたプロジェクタが投射する垂直方向に並ぶ複数の部分画像を含む一画面構成の投影画像のうち当該部分画像を個々独立に反射し、水平方向に隣接する画像として前記スクリーンに投影する光学ユニットを備え、
前記スクリーンは、長辺が水平方向に向けられ、
前記プロジェクタ設置部は、前記光学ユニットを介して前記スクリーンに投影画像を投影する向きに、前記プロジェクタを設置する請求項１に記載の画像表示筐体。
【請求項４】
前記ハウジングの内部に配置され、前記プロジェクタ設置部に設置されたプロジェクタが投射する水平方向に並ぶ複数の部分画像を含む一画面構成の投影画像のうち当該部分画像を個々独立に反射し、垂直方向に隣接する画像として前記スクリーンに投影する光学ユニットと、
前記スクリーンは、長辺が垂直に向けられ、
前記プロジェクタ設置部は、前記光学ユニットを介して前記スクリーンに投影画像を投影する向きに、前記プロジェクタを設置する請求項１に記載の画像表示筐体。
【請求項５】
前記スクリーンは、当該スクリーンに入射する個々の前記部分画像の光軸に対し垂直となる形状を有する、請求項３又は４に記載の画像表示筐体。
【発明の詳細な説明】
【技術分野】
【０００１】
本発明は、病院、公共機関、店舗、ショールーム等において行われるプロジェクタ画像の表示に用いられる画像表示筐体に関する。
【背景技術】
【０００２】
従来、病院の待合室や、公共機関、店舗やショールームでは、プロジェクタを用いて各場所の目的に応じた顧客向けのコンテンツを投影することが行われている。一例として、小売店の店舗では、特許文献１に記載されているようなショーケースが導入されている。このショーケースは、商品を陳列できる貯蔵室の天壁の前部にスクリーンが取り付けられて構成されており、そのスクリーンに向けて画像を投影できる箇所に設置されたプロジェクタを用いて画像投影を行うものである（特許文献１の段落番号００１５、図１及び図２参照）。このショーケースによれば、プロジェクタから商品情報を含む画像をＰＯＰ広告（Ｐｏｉｎｔ  Ｏｆ  Ｐｕｒｃｈａｓｅ）としてスクリーンに投影して、商品情報を多くの顧客に注目させて購買に繋げることができる。
【０００３】
【特許文献１】特開２００１−２４５７５６公報
【発明の開示】
【発明が解決しようとする課題】
【０００４】
特許文献１に記載されているショーケースを店舗に設置する場合、設置場所にはショーケースを設置するのに十分な空間を確保する必要がある。しかし、その設置場所に既に陳列棚が設置されている場合、ショーケースを設置するためには既設の陳列棚を取り外す必要がある。その結果、取り外された陳列棚は無駄になってしまう。
【０００５】
本発明の目的は、既設の陳列棚を活用してプロジェクタによる商品情報の投影表示を実現することである。
【課題を解決するための手段】
【０００６】
本発明の画像表示筐体は、一対の側板と前記一対の側板間に取り付けられる棚板とを有した陳列棚に載置可能な底部と、前記陳列棚の被取付部に取り付けるための取付部と、側面に設けられた透過型のスクリーンと、を有するハウジングと、前記ハウジングの内部に設けられ、前記スクリーンに投影画像を投影する向きにプロジェクタを設置するプロジェクタ設置部と、を備え、前記被取付部は、前記側板に設けられて前記棚板と嵌合可能であり、前記取付部は、前記被取付部に嵌合可能である。
【０００７】
別の面から見た本発明の画像表示筐体は、透過型のスクリーンを側面に有するハウジングと、前記ハウジングの内部に設けられるプロジェクタ設置部と、前記ハウジングの内部に配置され、前記プロジェクタ設置部に設置されたプロジェクタが投射する投影画像を反射し、前記スクリーンに投影する光学ユニットと、を備える。
【０００８】
さらに別の面から見た本発明の画像表示筐体は、長辺が水平方向に向けられた透過型のスクリーンを側面に有するハウジングと、前記ハウジングの内部に設けられるプロジェクタ設置部と、前記ハウジングの内部に配置され、前記プロジェクタ設置部に設置されたプロジェクタが投射する垂直方向に並ぶ複数の部分画像を含む一画面構成の投影画像のうち当該部分画像を個々独立に反射し、水平方向に隣接する画像として前記スクリーンに投影する光学ユニットと、を備える。
【０００９】
さらに別の面から見た本発明の画像表示筐体は、長辺が垂直に向けられた透過型のスクリーンを側面に有するハウジングと、前記ハウジングの内部に設けられるプロジェクタ設置部と、前記ハウジングの内部に配置され、前記プロジェクタ設置部に設置されたプロジェクタが投射する水平方向に並ぶ複数の部分画像を含む一画面構成の投影画像のうち当該部分画像を個々独立に反射し、垂直方向に隣接する画像として前記スクリーンに投影する光学ユニットと、を備える。
【発明の効果】
【００１０】
本発明によれば、プロジェクタの投影画像を投影表示する仕組みを実現するプロジェクタ設置部及び透過型のスクリーンがハウジングに一体的に納められているため、既設の陳列棚を活用してプロジェクタによる商品情報の投影表示を実現することができる。
【発明を実施するための最良の形態】
【００１１】
本発明の実施の一形態（第一の実施の形態）を図１ないし図５に基づいて説明する。本実施の形態では、小売店の店舗空間に設置される陳列棚システム１０１について紹介する。
【００１２】
図１は、陳列棚システム１０１の概要を示す模式図である。陳列棚システム１０１は、陳列棚１０３、画像表示筐体２０１及びプロジェクタＰＪ（図３参照）を備えて構成されている。
【００１３】
陳列棚１０３は、店舗に設置されて商品ＧＤの陳列のために用いられるものである。陳列棚１０３は、左右両端を構成する二枚の側板１０４に、商品ＧＤを載置して陳列するための三段の棚板１０５が取り付けられて構成されている。棚板１０５の底面の左右端には、端辺に沿って並ぶ三箇所の受け孔１０７が設けられている。そして、各側板１０４の互いに向かい合っている面には、棚板１０５の受け孔１０７に嵌合するダボ棚受け１０６が突設されている。このダボ棚受け１０６は、棚板１０５が取り付けられる各高さ位置に、陳列棚１０３の奥行き方向に向けて列状に三個一組で設けられている。棚板１０５は、ダボ棚受け１０６が受け孔１０７に嵌合することで、水平に取り外し自在に支持される。陳列棚１０３に陳列される商品ＧＤに関する商品情報は、一例として、陳列される商品ＧＤの前方に置かれる商品ラベルＬＢによって示される。
【００１４】
画像表示筐体２０１は、設置対象物としての陳列棚１０３に設置された状態で用いられ、客側を向くスクリーン２０２にコンテンツ画像ＰＶを表示する。より詳細には、画像表示筐体２０１は、内部にプロジェクタＰＪ（図３参照）を設置できる構造を備え、陳列棚１０３に設置された状態で客側を向く一側面にスクリーン２０２が嵌め込まれて取り付けられている。このスクリーン２０２は透過型であり、長辺が水平方向に向けて取り付けられている。この画像表示筐体２０１は、内部に設置されたプロジェクタＰＪから投射される投影画像Ｓ（図４参照）を、スクリーン２０２に合った形状に整えて画像表示筐体２０１の内側から外側に透過投影表示する。プロジェクタＰＪから投影する投影画像Ｓを商品ＧＤに関する商品情報を含むものにした場合、画像表示筐体２０１のスクリーン２０２には、コンテンツ画像ＰＶとして商品情報が透過投影表示される。
【００１５】
画像表示筐体２０１は、一例として、底部２０５を陳列棚１０３の上面に接触させて、陳列棚１０３に載置されて水平に設置された状態で使用される。このとき、棚板１０５に載置された画像表示筐体２０１は二枚の側板１０４の間にぴったり収まる。
【００１６】
また、画像表示筐体２０１は、別の一例として、陳列棚１０３のダボ棚受け１０６に取り付けられることで水平に設置された状態でも使用される。より詳細には、画像表示筐体２０１の底部２０５の左右両端には、陳列棚１０３に設けられている受け孔１０７と同じ形状の取付部２０６が設けられている。そして、画像表示筐体２０１は、陳列棚１０３が取り外された状態のダボ棚受け１０６が取付部２０６に嵌合することで、陳列棚１０３に水平に設置される。この場合、ダボ棚受け１０６は、陳列棚１０３に画像表示筐体２０１を取り付ける上での被取付部として機能する。
【００１７】
このように構成される本実施の形態の画像表示筐体２０１は、上記のような画像投影の仕組みを実現する各部がハウジング２０７に一体的に納められて構成されているため、既設の陳列棚１０３をそのまま活用して画像表示筐体２０１を設置することができ、プロジェクタＰＪによる商品情報の投影表示を実現することができる。
【００１８】
図２は、画像表示筐体２０１の外観斜視図である。画像表示筐体２０１のハウジング２０７は直方体形状であり、棚板１０５（図１参照）と同じ平面形状を有する。ハウジング２０７の上面は上板２０８で構成されている。この上板２０８は、図３に示すように、奥側辺を回動中心として回動自在となっており、画像表示筐体２０１を開閉する。閉じられた状態の画像表示筐体２０１の上板２０８には、商品ＧＤが載置可能である。すなわち、上板２０８は、ハウジング２０７の上面に載置領域２０４を形成する。ハウジング２０７の客側に向けられる一側面には、スクリーン２０２が、長辺を水平方向に向ける向きにハウジング２０７に嵌めこまれている。このスクリーン２０２は、裏面側に受けたプロジェクタの投影画像Ｓ（図４参照）を表面側に透過投影する透過型のものである。このスクリーン２０２は、一例として、アクリル素材の板状部材で形成される。
【００１９】
図３は、上板２０８が開かれた状態の画像表示筐体２０１の外観斜視図である。ハウジング２０７の底部２０５は、前述したように、棚板１０５に載置可能な形状を有する。ハウジング２０７の内部を向いている底部２０５の面であって背面部２１０の近傍には、プロジェクタ設置部２０９が形成されている。プロジェクタ設置部２０９は、投影画像Ｓの投射口ＰＯをスクリーン２０２に向ける向きにプロジェクタＰＪを設置することができる。結果として、スクリーン２０２には、プロジェクタ設置部２０９に設置されたプロジェクタＰＪからの投影画像Ｓが投影される。
【００２０】
プロジェクタ設置部２０９に設置されるプロジェクタＰＪは、給電コードによって給電され、ＬＡＮケーブルによって制御装置とデータ通信自在に接続されている（いずれも図示せず）。図示しない制御装置はプロジェクタＰＪに対して、プロジェクタＰＪが投影する一画面構成の投影画像Ｓの基礎となる画像データや、プロジェクタＰＪの画像投影の制御を行うための制御命令を送信する。プロジェクタＰＪは、図示しない制御装置から送信された画像データや制御命令を受信すると、画像データに応じた投射光束Ｔ０を投射口ＰＯからスクリーン２０２に向けて投射する。このようなプロジェクタＰＪとしては、液晶プロジェクタ、ＤＬＰプロジェクタ、ＬＣＯＳプロジェクタ、ＧＬＶプロジェクタなど、各種のものを採用することができる。
【００２１】
図３では、文字列「ＡＢＣＤＥＦ」を左右反転させた横長の部分画像Ｓ０を含んだ一画面構成の投影画像Ｓの基礎となる画像データ（図４参照）をプロジェクタＰＪが受信した場合における、スクリーン２０２のコンテンツ画像ＰＶの表示例を示している。プロジェクタ設置部２０９に設置されたプロジェクタＰＪは、図示しない制御装置から送信される画像データ及び制御命令を受信すると、受信した画像データを基礎とする一画面構成の投影画像Ｓの投射光束Ｔ０を投射口ＰＯから投射する。この投射光束Ｔ０は、スクリーン２０２に部分画像Ｓ０を形成する。つまり、スクリーン２０２には、投影画像Ｓが水平方向に細長いコンテンツ画像ＰＶ（一連の横長の文字列「ＡＢＣＤＥＦ」）として投影され、外側に向けて透過投影表示される。
【００２２】
図４は、プロジェクタＰＪの投影画像Ｓの基礎となる画像データの模式図である。図示しない制御装置がプロジェクタＰＪに送信する画像データは、コンテンツ画像ＰＶを構成するプロジェクタＰＪの投影画像Ｓの基礎となるものである。投影画像Ｓは、部分画像Ｓ０を含んで構成されている。部分画像Ｓ０はスクリーン２０２の縦横比と同じ縦横比を有する矩形形状の画像である。そして、投影画像Ｓは、スクリーン２０２に投影される投影結果に応じて適宜左右反転されて構成される。
【００２３】
図５は、画像表示筐体２０１の底面図である。ハウジング２０７の底部２０５の左右両端には、陳列棚１０３の受け孔１０７（図１参照）と同じ取付部２０６が形成されている。この取付部２０６は、図５に示すように、底部２０５の左右端から内側を向く方向にＵ字型に切り込まれた溝であり、底部２０５の左右端にそれぞれ三箇所設けられている。画像表示筐体２０１は、取付部２０６及び側板１０４に突設されている被取付部としてのダボ棚受け１０６が互いに嵌合することで、陳列棚１０３に設置される。
【００２４】
上記のように構成される本実施の形態の画像表示筐体２０１では、プロジェクタ設置部２０９にプロジェクタＰＪを設置することが可能であり、設置されたプロジェクタＰＪから投影画像Ｓが投射されると、スクリーン２０２に部分画像Ｓ０がコンテンツ画像ＰＶとして投影される。
【００２５】
このように、本実施の形態の画像表示筐体２０１によれば、プロジェクタＰＪの投影画像Ｓを投影表示する仕組みを実現しているプロジェクタ設置部２０９及び透過型のスクリーン２０２がハウジング２０７に一体的に納められているため、陳列棚１０３に画像表示筐体２０１を設置して商品情報の投影表示を行うことが可能であり、既設の陳列棚１０３を活用してプロジェクタによる商品情報の投影表示を実現することができる。
【００２６】
また、本実施の形態の画像表示筐体２０１のハウジング２０７には、陳列棚１０３の棚板１０５に載置される底部２０５が形成されているため、陳列棚１０３の棚板１０５に載置するだけで簡単に既設の陳列棚１０３に画像表示筐体２０１を組み込むことができる。
【００２７】
さらに、本実施の形態の画像表示筐体２０１のハウジング２０７には、陳列棚１０３の被取付部としてのダボ棚受け１０６に取り付けるための取付部２０６が形成されているため、画像表示筐体２０１を陳列棚１０３の被取付部であるダボ棚受け１０６に簡単に設置することができる。
【００２８】
次いで、別の実施の一形態（第二の実施の形態）を図６ないし図７に基づいて説明する。この場合、図１ないし図５に基づいて前述した実施の形態（第一の実施の形態）と同一の部分は同一符号で示し、説明も省略する。本実施の形態の画像表示筐体２０１は、ハウジング２０７の内部に投影画像Ｓの進行方向を変化させる光学ユニットを備えている点が、図１ないし図５に基づいて前述した実施の形態（第一の実施の形態）と異なる。
【００２９】
図６は、上板２０８が開かれた状態の画像表示筐体２０１の外観斜視図である。本実施の形態のプロジェクタ設置部２０９は、ハウジング２０７の内部を向いている底部２０５の面であって右面部２１０ａの近傍に形成されている。そして、ハウジング２０７の内部側を向く背面部２１０の面であって、プロジェクタ設置部２０９に設置されたプロジェクタＰＪから投射される投影画像Ｓが当たる位置には、光学ユニット２１１が配置されている。本実施の形態における光学ユニット２１１は、長辺を水平方向に向けられて設置される平面鏡であり、プロジェクタＰＪから投射される投影画像Ｓをスクリーン２０２に導く向きに向けられた状態で、設置機構２１１ａによってハウジング２０７の背面部２１０に取り付けられている。
【００３０】
光学ユニット２１１は、プロジェクタ設置部２０９に設置されたプロジェクタＰＪから投影される投影画像Ｓに含まれる部分画像Ｓ０を反射して、スクリーン２０２に投影する。結果として、スクリーン２０２には、プロジェクタ設置部２０９に設置されたプロジェクタＰＪからの投影画像Ｓが投影される。このとき、コンテンツ画像ＰＶから投射される投射光束Ｔ０が全てスクリーン２０２に届くようにして、スクリーン２０２に表示されるコンテンツ画像ＰＶに影ができないようにする必要がある。そのため、プロジェクタＰＪを配置するプロジェクタ設置部２０９は、プロジェクタＰＪが投射する投影画像Ｓがスクリーン２０２に至るまでに通過する通過領域以外の場所に設けられている必要がある。また、プロジェクタ設置部２０９に配置されるプロジェクタＰＪは、可能な限り小さいものであることが望ましい。
【００３１】
図６では、文字列「ＡＢＣＤＥＦ」を示す横長の部分画像Ｓ０を含んだ一画面構成の投影画像Ｓの基礎となる画像データ（図７参照）をプロジェクタＰＪが受信した場合における、スクリーン２０２のコンテンツ画像ＰＶの表示例を示している。プロジェクタ設置部２０９に設置されたプロジェクタＰＪは、図示しない制御装置から送信される画像データ及び制御命令を受信すると、受信した画像データを基礎とする一画面構成の投影画像Ｓの投射光束Ｔ０を投射口ＰＯから投射する。この投射光束Ｔ０は、光学ユニット２１１によって反射されてスクリーン２０２に導かれ、スクリーン２０２に部分画像Ｓ０を形成する。つまり、スクリーン２０２には、投影画像Ｓが水平方向に細長いコンテンツ画像ＰＶ（一連の横長の文字列「ＡＢＣＤＥＦ」）として投影され、外側に向けて透過投影表示される。
【００３２】
図７は、プロジェクタＰＪの投影画像Ｓの基礎となる画像データの模式図である。本実施の形態の投影画像Ｓに含まれる部分画像Ｓ０は、平面鏡である光学ユニット２１１によって一回反射された後に、スクリーン２０２に投影されて外側に向かって透過投影表示される。そのため、図４とは異なり、部分画像Ｓ０が左右反転されることなくそのままコンテンツ画像ＰＶとして表示される。
【００３３】
本実施の形態の画像表示筐体２０１によれば、図１ないし図５に基づいて説明した実施の形態（第一の実施の形態）と同様に、ハウジング２０７にプロジェクタ設置部２０９及び透過型のスクリーン２０２が一体的に納められているため、陳列棚１０３に画像表示筐体２０１を設置して商品情報の投影表示を行うことが可能であり、既設の陳列棚１０３を活用してプロジェクタによる商品情報の投影表示を実現することができる。さらに、本実施の形態の画像表示筐体２０１によれば、光学ユニット２１１によって投影画像Ｓが進行する光学的経路を変更することができ、ハウジング２０７を小型化することが可能になるため、小型の既設の陳列棚１０３に画像表示筐体２０１を組み込むことが可能になる。
【００３４】
次いで、別の実施の一形態（第三の実施の形態）を図８ないし図１１に基づいて説明する。この場合、図５及び図６に基づいて前述した実施の形態（第二の実施の形態）と同一の部分は同一符号で示し、説明も省略する。本実施の形態の画像表示筐体２０１は、投影画像Ｓが光学ユニット２１１によってスクリーン２０２に合う形状に整えられた上でスクリーン２０２に投影される点が、図５及び図６に基づいて前述した実施の形態（第二の実施の形態）と異なる。
【００３５】
図８は、上板２０８が開かれた状態の画像表示筐体２０１の外観斜視図である。本実施の形態のプロジェクタ設置部２０９は、ハウジング２０７の内部側を向く底部２０５の面の略中心に形成されている。このプロジェクタ設置部２０９は、投影画像Ｓの投射口ＰＯをハウジング２０７の背面部２１０に向ける向きにプロジェクタＰＪを設置することができる。そして、本実施の形態の光学ユニット２１１は、ハウジング２０７の内部側を向く背面部２１０の面であって、プロジェクタ設置部２０９に設置されたプロジェクタＰＪから投射される投影画像Ｓが当たる位置に配置されている。ここで重要なのは、本実施の形態の光学ユニット２１１は、プロジェクタ設置部２０９に設置されたプロジェクタＰＪから投影される投影画像Ｓに含まれる複数の部分画像を個々独立に反射して、水平方向に隣接する画像としてスクリーン２０２に投影するという点である。その結果、スクリーン２０２には、その形状にあった水平方向に細長い長尺の画像が投影されることになる。
【００３６】
図８では、コンテンツ画像ＰＶを構成する要素である横長の文字列「ＤＥＦ」及び「ＡＢＣ」を上下二段に並べて含む一画面構成の投影画像Ｓの基礎となる画像データ（図９参照）をプロジェクタＰＪが受信した場合における、スクリーン２０２のコンテンツ画像ＰＶの表示例を示している。プロジェクタ設置部２０９に設置されたプロジェクタＰＪは、図示しない制御装置から送信される画像データ及び制御命令を受信すると、受信した画像データを基礎とする一画面構成の投影画像Ｓの投射光束Ｔ０を投射口ＰＯから投射する。この投影画像Ｓは、部分画像（文字列「ＤＥＦ」を示す画像及び文字列「ＡＢＣ」を示す画像）が光学ユニット２１１によって個々独立に反射された後に、水平方向に隣接する一連のコンテンツ画像ＰＶ（一連の横長の文字列「ＡＢＣＤＥＦ」）としてスクリーン２０２に投影され、外側に向けて透過投影表示される。
【００３７】
図９は、プロジェクタＰＪの投影画像Ｓの基礎となる画像データの模式図である。本実施の形態の投影画像Ｓは、垂直方向に並ぶ第１部分画像Ｓ１及び第２部分画像Ｓ２を含んで構成されている。第１部分画像Ｓ１は、一画面構成の投影画像Ｓにおいて、第２部分画像Ｓ２の上方に位置付けられている。第１部分画像Ｓ１及び第２部分画像Ｓ２はいずれも矩形形状の画像であり、投影画像Ｓ全体の縦横比よりも横長の縦横比を有している。なお、スクリーン２０２に投影表示される投影画像Ｓは、その表示内容に応じて適宜左右反転されて構成されている。
【００３８】
図１０は、画像表示筐体２０１の平面図である。図１１は、画像表示筐体２０１の右側面図である。プロジェクタ設置部２０９に設置されたプロジェクタＰＪは、図示しない制御装置から送信される画像データを受信すると、画像データに基づいた投影画像Ｓを形成する投射光束Ｔ０を投射口ＰＯから投射する。光学ユニット２１１は、投射口ＰＯから投射される投射光束Ｔ０を反射する。より詳細には、光学ユニット２１１は、第１平面鏡Ｍ１及び第２平面鏡Ｍ２により構成されている。第１平面鏡Ｍ１は、長辺を水平方向に向けて投射光束Ｔ０のうち第１部分画像Ｓ１を含む光束が到達する位置に配置され、その部分の光束を第１部分光束Ｔ１として分割する。第２平面鏡Ｍ２は、長辺を水平方向に向けて、第１平面鏡Ｍ１の下方であって投射光束Ｔ０のうち第２部分画像Ｓ２を含む光束が到達する位置に配置され、その部分の光束を第２部分光束Ｔ２として分割する。スクリーン２０２の右側の領域には、第１部分画像Ｓ１が表示される第１部分投影領域Ｕ１が形成されている。また、スクリーン２０２の左側であって第１部分投影領域Ｕ１に水平方向に隣接する位置には、第２部分画像Ｓ２が表示される第２部分投影領域Ｕ２が形成されている。そして、第１平面鏡Ｍ１は、第１部分光束Ｔ１を第１部分投影領域Ｕ１に導いて、第１部分投影領域Ｕ１に第１部分画像Ｓ１を投影する向きに配置される。また、第２平面鏡Ｍ２は、第２部分光束Ｔ２を第２部分投影領域Ｕ２に導いて、第２部分投影領域Ｕ２に第２部分画像Ｓ２を投影する向きに配置される。
【００３９】
上記のように構成される本実施の形態の画像表示筐体２０１では、プロジェクタ設置部２０９にプロジェクタＰＪを設置することが可能であり、設置されたプロジェクタＰＪから投影画像Ｓが投射されると、光学ユニット２１１によって投影画像Ｓに含まれる垂直方向に並んだ第１部分画像Ｓ１及び第２部分画像Ｓ２が個々独立に反射されて、スクリーン２０２に水平方向に隣接した一連のコンテンツ画像ＰＶとして投影される。例えば、プロジェクタＰＪが、図９に示したような、文字列「ＤＥＦ」を示す横長の第１部分画像Ｓ１及び文字列「ＡＢＣ」を示す横長の第２部分画像Ｓ２を垂直方向に並べて含む投影画像Ｓの基礎となる画像データを受信した場合を考える。この場合、光学ユニット２１１は、プロジェクタＰＪから投射された投射光束Ｔ０を水平方向に分断して第１部分画像Ｓ１を形成する第１部分光束Ｔ１及び第２部分画像Ｓ２を形成する第２部分光束Ｔ２に分離し、個々独立にスクリーン２０２に向けて反射する。このとき、第１部分光束Ｔ１の光軸Ｘ１、及び、第２部分光束Ｔ２の光軸Ｘ２は異なるものになる。スクリーン２０２の右側に位置する第１部分投影領域Ｕ１には、反射された第１部分光束Ｔ１が入射して、第１部分画像Ｓ１（文字列「ＤＥＦ」）が外側に向けて透過投影表示される。また、スクリーン２０２の左側であって第１部分投影領域Ｕ１に水平方向に隣接する第２部分投影領域Ｕ２には、反射された第２部分光束Ｔ２が入射して、第２部分画像Ｓ２（文字列「ＡＢＣ」）が投影表示される。結果として、スクリーン２０２には、図８に示したように、プロジェクタＰＪの投影画像の領域よりも水平方向に細長い、大きい「ＡＢＣＤＥＦ」という一連の文字列が並ぶコンテンツ画像ＰＶが表示されることになる。
【００４０】
このように、本実施の形態の画像表示筐体２０１では、これまでに説明した実施の形態（第一の実施の形態、第二の実施の形態）と同様に、ハウジング２０７にプロジェクタ設置部２０９及び透過型のスクリーン２０２が一体的に納められているため、陳列棚１０３に画像表示筐体２０１を設置して商品情報の投影表示を行うことが可能であり、既設の陳列棚１０３を活用してプロジェクタによる商品情報の投影表示を実現することができる。さらに、本実施の形態の画像表示筐体２０１によれば、プロジェクタ設置部２０９に設置されたプロジェクタＰＪから投影される垂直方向に並ぶ部分画像（第１部分画像Ｓ１、第２部分画像Ｓ２）を含む投影画像Ｓを、光学ユニット２１１によって反射させて水平方向に長辺を備えるスクリーン２０２に一連のコンテンツ画像ＰＶとして投影してスクリーン２０２の外側に向けて透過投影表示させることができ、プロジェクタＰＪの投影画像Ｓの領域とは異なる縦長の形状の大きなコンテンツ画像ＰＶの表示を簡単な構造で実現することができる。
【００４１】
図１２は、別の実施の一形態の画像表示筐体２０１の平面図である。図８ないし図１１に基づいて前述した実施の形態（第三の実施の形態）に対する別の実施の一形態（第四の実施の形態）として、図１２に示すように、画像表示筐体２０１に設けられているスクリーン２０２を、入射する個々の部分画像（第１部分画像Ｓ１、第２部分画像Ｓ２）の光軸Ｘ１、Ｘ２に対し垂直となる形状としてもよい。このようにすることで、部分画像（第１部分画像Ｓ１、第２部分画像Ｓ２）は、台形形状に歪められることなく、スクリーン２０２に歪み無く綺麗に結像して表示される。
【００４２】
次いで、別の実施の一形態（第五の実施の形態）を図１３ないし図１７に基づいて説明する。この場合、図１ないし図５に基づいて前述した実施の形態（第一の実施の形態）、及び、図８ないし図１１に基づいて前述した実施の形態（第四の実施の形態）と同一の部分は同一符号で示し、説明も省略する。
【００４３】
図１３は、本実施の形態の陳列棚システム１０１の概要を示す模式図である。図１３（ａ）に示すように、本実施の形態の陳列棚１０３では、棚板１０５の左右両端にフック３０１が取り付けられており、側板１０４に棚板１０５のフック３０１が嵌合できる形状のフック受け部３０２が形成されている。フック受け部３０２は、設置対象物となる側板１０４に設けられた被取付部として機能する。
【００４４】
本実施の形態の画像表示筐体２０１は、側板１０４と平行な平面部分を有する縦長の形状であって、客側に向けて設置されているスクリーン２０２は長辺が垂直方向に向けられて取り付けられている。縦長の形状であるがゆえに、画像表示筐体２０１には商品ＧＤを載置することはできない。本実施の形態の画像表示筐体２０１に設けられている取付部２０６は、ハウジング２０７の左面部２１２の上方に設けられており、フック３０１と同じ形状を有してフック受け部３０２に嵌合することができる。
【００４５】
このようにして構成される本実施の形態の陳列棚システム１０１では、図１３（ｂ）に示すように、側板１０４に画像表示筐体２０１が吊り下げられて設置される。
【００４６】
図１４は、右板２１３が開かれた状態の画像表示筐体２０１の外観斜視図である。  本実施の形態のハウジング２０７は、図１４に示すように、奥側辺を回動中心として右板２１３が回動自在となって画像表示筐体２０１を開閉する。そして、本実施の形態のプロジェクタ設置部２０９は、ハウジング２０７の左面部２１２の内部側を向く面の略中心に形成されており、投影画像Ｓをハウジング２０７の背面部２１０に投射する方向に投射口ＰＯを向ける向きにプロジェクタＰＪを設置することができる。ここで重要なのは、本実施の形態の光学ユニット２１１は、プロジェクタ設置部２０９に設置されたプロジェクタＰＪから投影される投影画像Ｓに含まれる複数の部分画像を個々独立に反射して、垂直方向に隣接する画像としてスクリーン２０２に投影するものである。
【００４７】
図１４では、コンテンツ画像ＰＶを構成する要素である縦長の文字列「ＡＢＣ」及び「ＤＥＦ」を水平方向に並べて含む一画面構成の投影画像Ｓの基礎となる画像データ（図１５参照）をプロジェクタＰＪが受信した場合における、スクリーン２０２のコンテンツ画像ＰＶの表示例を示している。プロジェクタ設置部２０９に設置されたプロジェクタＰＪは、図示しない制御装置からこのような画像データ及び画像投影を行う旨の制御命令を受信すると投射光束Ｔ０を投射する。そして、投射された投射光束Ｔ０は、部分画像（文字列「ＡＢＣ」を示す画像及び文字列「ＤＥＦ」を示す画像）が光学ユニット２１１によって個々独立に反射された後に、垂直方向に隣接する一連のコンテンツ画像ＰＶ（一連の縦長の文字列「ＡＢＣＤＥＦ」）としてスクリーン２０２に投影され、外側に向けて透過投影表示される。
【００４８】
図１５は、プロジェクタＰＪの投影画像Ｓの基礎となる画像データの模式図である。本実施の形態の第１部分画像Ｓ１及び第２部分画像Ｓ２はいずれも、投影画像Ｓ全体の縦横比よりも縦長の縦横比を有している。そして、第１部分画像Ｓ１は、一画面構成の投影画像Ｓにおいて、第２部分画像Ｓ２の左側に位置付けられている。
【００４９】
図１６は、画像表示筐体２０１の右側面図である。本実施の形態の第１部分投影領域Ｕ１はスクリーン２０２の上方に位置付けられており、また、第２部分投影領域Ｕ２はスクリーン２０２の下方であって第１部分投影領域Ｕ１に垂直方向に隣接する位置に位置付けられている。また、光学ユニット２１１を構成する本実施の形態の第１平面鏡Ｍ１及び第２平面鏡Ｍ２は、長辺を垂直方向に向けてハウジング２０７の背面部２１０に設置されており、第１平面鏡Ｍ１は正面から見て第２平面鏡Ｍ２の左側に配置されている。そして、本実施の形態の光学ユニット２１１は、プロジェクタ設置部２０９に設置されたプロジェクタＰＪから投射される図１５に示したような投影画像Ｓを形成する投射光束Ｔ０を受けると、投射光束Ｔ０を垂直方向に分割して第１部分画像Ｓ１を形成する第１部分光束Ｔ１及び第２部分画像Ｓ２を形成する第２部分光束Ｔ２に分離し、第１部分光束Ｔ１及び第２部分光束Ｔ２を個々独立に第１部分投影領域Ｕ１及び第２部分投影領域Ｕ２に反射して、垂直方向に隣接する縦長の一連のコンテンツ画像ＰＶとしてスクリーン２０２に投影する。
【００５０】
図１７は、画像表示筐体２０１の左側面図である。本実施の形態のハウジング２０７の底部２０５には、左右両端に棚板１０５のフック３０１（図１３参照）と同じ形状の取付部２０６が取り付けられている。画像表示筐体２０１は、取付部２０６及び側板１０４に突設されている被取付部としてのフック受け部３０２が互いに嵌合することで、陳列棚１０３に設置される。
【００５１】
上記のように構成される本実施の形態の陳列棚システム１０１では、プロジェクタ設置部２０９に設置されたプロジェクタＰＪから投影画像Ｓが投射されると、光学ユニット２１１によって投影画像Ｓに含まれる水平方向に並んだ第１部分画像Ｓ１及び第２部分画像Ｓ２が個々独立に反射されて、スクリーン２０２に垂直方向に隣接した一連のコンテンツ画像ＰＶとして投影する。例えば、プロジェクタＰＪが、図１５に示したような、文字列「ＡＢＣ」を示す縦長の第１部分画像Ｓ１及び文字列「ＤＥＦ」を示す縦長の第２部分画像Ｓ２を含む投影画像Ｓの基礎となる画像データを受信した場合を考える。この場合、光学ユニット２１１は、プロジェクタＰＪから投射された投射光束Ｔ０を垂直方向に分断して第１部分画像Ｓ１を形成する第１部分光束Ｔ１及び第２部分画像Ｓ２を形成する第２部分光束Ｔ２に分離し、スクリーン２０２に向けて反射する。このとき、第１部分光束Ｔ１の光軸Ｘ１、及び、第２部分光束Ｔ２の光軸Ｘ２は異なるものになる。スクリーン２０２の上方に位置する第１部分投影領域Ｕ１には、反射された第１部分光束Ｔ１が入射して、第１部分画像Ｓ１（文字列「ＡＢＣ」）が投影される。また、スクリーン２０２の下方であって第１部分投影領域Ｕ１に垂直方向に隣接する第２部分投影領域Ｕ２には、反射された第２部分光束Ｔ２が入射して、第２部分画像Ｓ２（文字列「ＤＥＦ」）が投影される。結果として、スクリーン２０２には、図１４に示したように、プロジェクタＰＪの投影画像の領域よりも垂直方向に細長い、大きい「ＡＢＣＤＥＦ」という一連の文字列が並ぶコンテンツ画像ＰＶが表示されることになる。
【００５２】
このように、本実施の形態の画像表示筐体２０１では、これまでに説明した実施の形態（第一の実施の形態〜第四の実施の形態）と同様に、ハウジング２０７にプロジェクタ設置部２０９及び透過型のスクリーン２０２が一体的に納められているため、陳列棚１０３に画像表示筐体２０１を設置して商品情報の投影表示を行うことが可能であり、既設の陳列棚１０３を活用してプロジェクタによる商品情報の投影表示を実現することができる。さらに、本実施の形態の画像表示筐体２０１によれば、プロジェクタ設置部２０９に設置されたプロジェクタＰＪから投影される水平方向に並ぶ部分画像（第１部分画像Ｓ１、第２部分画像Ｓ２）を含む投影画像Ｓを、光学ユニット２１１によって反射させて垂直方向に長辺を備えるスクリーン２０２に一連のコンテンツ画像ＰＶとして投影してスクリーン２０２の外側に向けて透過投影表示させることができ、プロジェクタＰＪの投影画像Ｓの領域とは異なる縦長の形状の大きなコンテンツ画像ＰＶの表示を簡単な構造で実現することができる。
【００５３】
また、本実施の形態の画像表示筐体２０１のハウジング２０７には、陳列棚１０３の被取付部としてのフック受け部３０２に取り付けるための取付部２０６が形成されているため、画像表示筐体２０１を陳列棚１０３の被取付部であるフック受け部３０２に吊り下げることで、容易に画像表示筐体２０１を設置することができる。
【００５４】
図１８は、別の実施の一形態の画像表示筐体２０１の平面図である。図１３ないし図１７に基づいて前述した実施の形態（第五の実施の形態）に対する別の実施の一形態（第六の実施の形態）として、図１８に示すように、画像表示筐体２０１に設けられているスクリーン２０２を、入射する個々の部分画像（第１部分画像Ｓ１、第２部分画像Ｓ２）の光軸Ｘ１、Ｘ２に対し垂直となる形状としてもよい。このようにすることで、部分画像（第１部分画像Ｓ１、第２部分画像Ｓ２）は、台形形状に歪められることなく、スクリーン２０２に歪み無く綺麗に結像して表示される。
【００５５】
なお、以上に述べたいずれの実施の形態においても、陳列棚１０３の側板１０４に設けられている被取付部としては、既に述べたダボ棚受けやフック受け部の他にも、ブラケットなどの各種のものを採用することができ、画像表示筐体２０１に設ける取付部２０６としてこの選択した被取付部に適合したものを採用できることは、言うまでもない。
【図面の簡単な説明】
【００５６】
【図１】第一の実施の形態における、陳列棚システムの概要を示す模式図である。
【図２】画像表示筐体の外観斜視図である。
【図３】上板が開かれた状態の画像表示筐体の外観斜視図である。
【図４】プロジェクタの投影画像の基礎となる画像データの模式図である。
【図５】画像表示筐体の底面図である。
【図６】第二の実施の形態における、上板が開かれた状態の画像表示筐体の外観斜視図である。
【図７】プロジェクタの投影画像の基礎となる画像データの模式図である。
【図８】第三の実施の形態における、上板が開かれた状態の画像表示筐体の外観斜視図である。
【図９】プロジェクタの投影画像の基礎となる画像データの模式図である。
【図１０】画像表示筐体の平面図である。
【図１１】画像表示筐体の右側面図である。
【図１２】第四の実施の形態における、画像表示筐体の平面図である。
【図１３】第五の実施の形態における、陳列棚システムの概要を示す模式図である。
【図１４】右板が開かれた状態の画像表示筐体の外観斜視図である。
【図１５】プロジェクタの投影画像の基礎となる画像データの模式図である。
【図１６】画像表示筐体の右側面図である。
【図１７】画像表示筐体の左側面図である。
【図１８】第六の実施の形態における、画像表示筐体の平面図である。
【符号の説明】
【００５７】
１０３…陳列棚（設置対象物）、１０６…ダボ棚受け（被取付部）、２０１…画像表示筐体、２０２…スクリーン、２０５…底部、２０６…取付部、２０７…ハウジング、２０９…プロジェクタ設置部、２１１…光学ユニット、３０１…フック（取付部）、３０２…フック受け部（被取付部）、Ｓ…投影画像、Ｓ０…部分画像、Ｓ１…第１部分画像（部分画像）、Ｓ２…第２部分画像（部分画像）、Ｘ１…光軸、Ｘ２…光軸
【図１】
0004891219.tif 000002
【図２】
0004891219.tif 000003
【図３】
0004891219.tif 000004
【図４】
0004891219.tif 000005
【図５】
0004891219.tif 000006
【図６】
0004891219.tif 000007
【図７】
0004891219.tif 000008
【図８】
0004891219.tif 000009
【図９】
0004891219.tif 000010
【図１０】
0004891219.tif 000011
【図１１】
0004891219.tif 000012
【図１２】
0004891219.tif 000013
【図１３】
0004891219.tif 000014
【図１４】
0004891219.tif 000015
【図１５】
0004891219.tif 000016
【図１６】
0004891219.tif 000017
【図１７】
0004891219.tif 000018
【図１８】
0004891219.tif 000019